(57)【要約】【課題】ヒートポンプ装置の組付けやメンテナンスのため着脱が容易で、部品点数を少なくし、組立て時、メンテナンス時等における作業性を向上させる。【解決手段】圧縮機２０及び放熱器２１及び吸熱器２３を冷媒が循環するように管路で連結したヒートポンプ装置１８と、吸熱器２３および放熱器２１を収容するダクト装置１３を備え、ヒートポンプ装置１８を、側面からダクト装置１３に着脱する構成とすることにより、乾燥装置１とヒートポンプ装置１８が独立して組立てられ、また乾燥装置１を分解することなく独立してヒートポンプ装置１８を乾燥装置１より取り外すことができる。【選択図】図２
2011167425.tif 000002
【特許請求の範囲】
【請求項１】
一面に開閉可能な扉を具備した本体内に、前記本体内を乾燥空間と風路空間に仕切る仕切り部材と、前記乾燥空間に配置され、かつ前記扉と対向した開口部を有する乾燥容器と、前記風路空間に配置され、一端が前記乾燥空間に開口し、他端が前記開口と異なる位置に開口したダクト装置と、前記ダクト装置に組込まれ、前記一方の開口から乾燥空間内の空気を吸い込み、他方の開口から乾燥空間内へ吹出す循環風路を形成する送風装置と、冷媒循環回路を形成する圧縮機、減圧装置、放熱器、吸熱器を基板上に配置したヒートポンプ装置を具備する乾燥装置であって、前記ダクト装置の一面に、前記ヒートポンプ装置の吸熱器と放熱器を挿入する開口部を設け、前記ヒートポンプ装置を、前記吸熱器と放熱器が並設され、この並設された吸熱器、放熱器から離れて前記圧縮機が位置する配置構成とし、さらに、前記吸熱器、放熱器と前記圧縮機の間に、前記ダクト装置に設けた前記開口部の周縁部に当接して該開口部を閉塞する閉塞部材を設けるとともに、前記吸熱器、放熱器の少なくとも一方を、両端に端板を具備するフィンチューブ型熱交換器とし、前記閉塞部材は、前記端板を兼ねる構成とし、前記閉塞部材および前記ダクト装置の開口部の当接面を非平面とし、前記開口部もしくは閉塞部材のいずれか一方に設けたテーパ形状の凹溝と、残る他方に設けられ、前記テーパ形状の凹溝に嵌合するエル字状の突合せ形状とした乾燥装置。
【請求項２】
前記開口部もしくは閉塞部材のいずれか一方に設けたテーパ形状の凹溝と、残る他方に設けられ、前記テーパ形状の凹溝に嵌合するエル字状の突合せ形状を、前記開口部の両側に設けた請求項１に記載の乾燥装置
【請求項３】
前記開口部もしくは閉塞部材のいずれか一方に設けたテーパ形状の凹溝と、残る他方に設けられ、前記テーパ形状の凹溝に嵌合するエル字状の突合せ形状を、前記開口部の全周に設けた請求項１に記載の乾燥装置
【請求項４】
前記開口部と閉塞部材の当接面に、前記テーパ形状の凹溝および前記エル字状の突合せ部を複数対形成した請求項１から３に記載の乾燥装置。
【請求項５】
前記吸熱器および放熱器を、両端に配管が突出するフィンチューブ型熱交換器とし、前記ダクト装置における開口部と対向する側壁に、前記突出した配管を収容する収容空間を設けた請求項１から４のいずれか一項に記載の乾燥装置。
【発明の詳細な説明】
【技術分野】
【０００１】
本発明は、ヒートポンプ装置の熱交換作用を利用して衣類等の乾燥を行う乾燥装置に関するものである。
【背景技術】
【０００２】
近年、この種の乾燥装置の一例として洗濯乾燥機が知られている。そして、その洗濯乾燥機の乾燥手段として、従来の電気ヒータに代わり、ヒートポンプ技術を応用した乾燥方式が提案され、注目されている。
【０００３】
ヒートポンプによる乾燥は、洗濯槽内から循環してくる高湿の空気をヒートポンプ装置の吸熱器により除湿し、この後、放熱器により高温、低湿の空気として再び槽内に循環させ、衣類等を乾燥させるものである。
【０００４】
この方式は、従来の電気ヒータによる乾燥よりも、高いエネルギー効率と、より低温、低湿の空気による乾燥であるため、乾燥後における衣類のしわの低減や、生地の傷みが少ない。
【０００５】
そして、従来、この種の洗濯乾燥機は、ヒートポンプ装置の熱交換器と圧縮機を台板上に載置し、一体化している（例えば、特許文献１参照）。
【０００６】
また、槽と取り付ける風路を工夫することにより、洗濯機の背面方向に熱交換風路を引き出せるようにした構成も提案されている（例えば、特許文献２参照）。
【０００７】
図９は、上記特許文献１に記載された従来の洗濯乾燥機を示すものである。
【０００８】
図９に示すように、従来の洗濯乾燥機は、外箱１０１内に、水槽１０２を配置し、その下部に、送風機１０８を組込んだ熱交換風路１０３が設けられている。そして熱交換風路１０３内に吸熱器１０４、放熱器１０５を配置し、この熱交換風路１０３と圧縮機１０６を金属製の台板１０７に載置した構成となっている。
【０００９】
以上のように構成された洗濯乾燥機は、外箱１０１内に冷凍サイクルを形成する各部品が全て収納され、熱交換風路１０３は、送風機１０８を駆動することにより、水槽１０２から排出された風を吸熱器１０４で冷却し、ここで除湿する。そして、除湿後の低湿度の乾燥風を放熱器１０５にて昇温し、熱交換用風路５４から水槽１０２に供給している。
【００１０】
また、熱交換風路１０３は、台板１０７の上に、圧縮機１０６が載置され、吸熱器１０４と放熱器１０５は、熱交換風路１０３内に設置され、圧縮機１０６と冷媒を流す管路で連結することにより冷凍サイクルを形成している。
【００１１】
さらに、外箱１０１内には、ベースに相当する台板１０７が固定されている。
【００１２】
冷凍サイクルを形成するにあたって、外箱１０１内に熱交換器や圧縮機１０６を直接装着する構成は、洗濯機として必要な部品が組付けられている環境でろう付け作業、および真空引き作業を行うこととなり、組立て作業が非効率的である。
【００１３】
このため、冷凍サイクルを構成するのに必要な複数の要素を単独で取扱うことが可能な構成としている。したがって、冷凍サイクルを扱う専門的な組立て工程で組立てることが
できるので、組立てが容易になるばかりでなく、設備等も他の製品の部品組立て等と共用できる。これにより、設備投資等も少なくなり、安くて良い製品を製造することが可能になる。しかも、試験等も確実に行うことができるので、製品の信頼性も高くなる。
【先行技術文献】
【特許文献】
【００１４】
【特許文献１】特開２００６−２３０８８７号公報
【特許文献２】特開２００６−１１０３９４号公報
【発明の概要】
【発明が解決しようとする課題】
【００１５】
しかしながら、上記従来の構成は、圧縮機１０６と放熱器１０５と絞り手段（図示せず）と吸熱器１０４とを、銅管等の管路で連結したヒートポンプ装置と、吸熱器１０４及び放熱器１０５に風を流すための送風機１０８を組込んだ熱交換風路１０３等を必要とし、これらの部品を一体化しているが、ヒートポンプ装置と風路を一体化するために、洗濯機の底面と同じぐらいの面積の台板１０７を必要とし、洗濯機を組立てる際には、外箱１０１や水槽１０２等を順番に組み付ける必要がある。また、冷凍サイクル部で故障が生じたときには、洗濯機全体を分解する必要があり、さらに、取出し方向等を工夫して、冷凍サイクル部分を取り出すことが可能になったとしても、熱交換風路ごと取り出すので、分解が複雑になり部品点数も多く、構成が複雑になるという問題があった。
【００１６】
本発明は、ヒートポンプ装置を、循環風路を形成するダクト装置の風路壁面の一部を形成する構成とすることにより、組立て、メンテナンス等の作業性の向上をはかることを目的とするものである。
【課題を解決するための手段】
【００１７】
上記従来の課題を解決するために、本発明の乾燥装置は、乾燥空間内の空気を吸込み、再び乾燥空間内へ吹出す循環風路を形成するダクト装置の一面に、ヒートポンプ装置の吸熱器と放熱器を挿入する開口部を設け、前記ヒートポンプ装置を、前記吸熱器と放熱器が並設され、この並設された吸熱器、放熱器から離れて前記圧縮機が位置する配置構成とし、さらに、前記吸熱器、放熱器と前記圧縮機の間に、前記ダクト装置に設けた前記開口部の周縁部に当接して該開口部を閉塞する閉塞部材を設けるとともに、前記吸熱器、放熱器の少なくとも一方を、両端に端板を具備するフィンチューブ型熱交換器とし、前記閉塞部材は、前記端板を兼ねる構成とし、前記閉塞部材および前記ダクト装置の開口部の当接面を非平面とし、前記開口部もしくは閉塞部材のいずれか一方に設けたテーパ形状の凹溝と、残る他方に設けられ、前記テーパ形状の凹溝に嵌合するエル字状の突合せ形状としたものである。
【００１８】
かかる構成により、ヒートポンプ装置を単独ユニットとして取り扱うことが可能となり、その結果、ヒートポンプ装置のダクト装置からの取り外しが容易となり、また、乾燥装置本体、あるいはダクト装置を分解する必要もないため、ヒートポンプ装置のメンテナンス作業が容易となる。
【発明の効果】
【００１９】
本発明の乾燥装置は、ヒートポンプ装置が、ユニット化された構成に併せてダクト装置の側面を形成する組込み形態となるため、ヒートポンプ装置のメンテナンスにおいてヒートポンプ装置のみを取り外すことができ、メンテナンス、部品交換等の作業性を向上することができる。
【００２０】
また、ヒートポンプ装置の組込み時は、閉塞部材および前記ダクト装置の開口部の当接
面を非平面とし、前記開口部もしくは閉塞部材のいずれか一方に設けたテーパ形状の凹溝と、残る他方に設けられ、前記テーパ形状の凹溝に嵌合するエル字状の突合せ形状とした構成であるため、少ない接触面積でも、シール性の向上が図れ、前記吸熱器、放熱器を通過する風が外に漏れることが無くなり、ヒートポンプとしての性能を劣化させることを防止できるため、メンテナンス作業性を一層向上することができる。
【図面の簡単な説明】
【００２１】
【図１】本発明の実施の形態１における乾燥装置のヒートポンプ装置の組込み状態を示す点検パネルを外した状態の斜視図
【図２】同実施の形態の乾燥装置におけるヒートポンプ装置の組込み前の状態を示す点検パネルを外した状態の斜視図
【図３】同実施の形態の乾燥装置における図１のＡ−Ａ線による縦断面図
【図４】同実施の形態の乾燥装置における図１のＢ−Ｂ線による横断面でダクト装置の一部を切欠いた平面図
【図５】同実施の形態の乾燥装置におけるヒートポンプ装置のダクト装置への組込み状態を示す要部を拡大した一部切欠き平面図
【図６】同実施の形態の乾燥装置におけるヒートポンプ装置の正面図
【図７】同実施の形態の乾燥装置におけるヒートポンプ装置の平面図
【図８】同実施の形態の乾燥装置におけるヒートポンプ装置の側面図
【図９】従来の洗濯乾燥機の縦断面図
【発明を実施するための形態】
【００２２】
請求項１に記載の発明は、一面に開閉可能な扉を具備した本体内に、前記本体内を乾燥空間と風路空間に仕切る仕切り部材と、前記乾燥空間に配置され、かつ前記扉と対向した開口部を有する乾燥容器と、前記風路空間に配置され、一端が前記乾燥空間に開口し、他端が前記開口と異なる位置に開口したダクト装置と、前記ダクト装置に組込まれ、前記一方の開口から乾燥空間内の空気を吸い込み、他方の開口から乾燥空間内へ吹出す循環風路を形成する送風装置と、冷媒循環回路を形成する圧縮機、減圧装置、放熱器、吸熱器を基板上に配置したヒートポンプ装置を具備する乾燥装置であって、前記ダクト装置の一面に、前記ヒートポンプ装置の吸熱器と放熱器を挿入する開口部を設け、前記ヒートポンプ装置を、前記吸熱器と放熱器が並設され、この並設された吸熱器、放熱器から離れて前記圧縮機が位置する配置構成とし、さらに、前記吸熱器、放熱器と前記圧縮機の間に、前記ダクト装置に設けた前記開口部の周縁部に当接して該開口部を閉塞する閉塞部材を設けるとともに、前記吸熱器、放熱器の少なくとも一方を、両端に端板を具備するフィンチューブ型熱交換器とし、前記閉塞部材は、前記端板を兼ねる構成とし、前記閉塞部材および前記ダクト装置の開口部の当接面を非平面とし、前記開口部もしくは閉塞部材のいずれか一方に設けたテーパ形状の凹溝と、残る他方に設けられ、前記テーパ形状の凹溝に嵌合するエル字状の突合せ形状としたものである。
【００２３】
かかる構成とすることにより、ヒートポンプ装置は、ユニット化された構成に併せてダクト装置の側面を形成する組込み形態となるため、ヒートポンプ装置のメンテナンス等において乾燥装置本体、あるいはダクト装置を分解することなくヒートポンプ装置のみを取り外すことができ、メンテナンス、部品交換等の作業性が向上する。
【００２４】
また、ヒートポンプ装置の組込み時は、閉塞部材および前記ダクト装置の開口部の当接面での形状を、非平面とし、前記開口部もしくは閉塞部材のいずれか一方に設けたテーパ形状の凹溝と、残る他方に設けられ、前記テーパ形状の凹溝に嵌合するエル字状の突合せ形状とした構成であるため、少ない接触面積でも、シール性の向上が図れ、前記吸熱器、放熱器を通過する風が外に漏れることが無くなり、ヒートポンプとしての性能を劣化させることを防止できるため、メンテナンス作業性を一層向上することができる。
【００２５】
請求項２に記載の発明は、請求項１に記載の発明において、前記開口部もしくは閉塞部材のいずれか一方に設けたテーパ形状の凹溝と、残る他方に設けられ、前記テーパ形状の凹溝に嵌合するエル字状の突合せ形状を、前記開口部の両側に設けたものである。
【００２６】
かかる構成とすることにより、特にヒートポンプ装置のダクト装置への組込みにおいて、両側に設けた凹凸部の当接面が拡大することによってヒートポンプ装置の位置合わせが強制され、閉塞部材による閉塞をより確実なものとすることができる。
【００２７】
請求項３に記載の発明は、請求項１に記載の発明において、前記開口部もしくは閉塞部材のいずれか一方に設けたテーパ形状の凹溝と、残る他方に設けられ、前記テーパ形状の凹溝に嵌合するエル字状の突合せ形状を、前記開口部の全周に設けたものである。
【００２８】
かかる構成とすることにより、特にヒートポンプ装置のダクト装置への組込みにおいて、全周に設けた凹凸部の当接面が拡大することによってヒートポンプ装置の位置合わせが強制され、閉塞部材による閉塞をより確実なものとすることができる。
【００２９】
請求項４に記載の発明は、請求項１から３のいずれか一項に記載の発明において、前記開口部と閉塞部材の当接面に、前記テーパ形状の凹溝および前記エル字状の突合せ部を複数対形成したものである。
【００３０】
かかる構成とすることにより、特にヒートポンプ装置のダクト装置への組込みにおいて、複数対形成した凹凸部の当接面が拡大することによってヒートポンプ装置の位置合わせが強制され、閉塞部材による閉塞をより確実なものとすることができる。
【００３１】
請求項５に記載の発明は、請求項１から４のいずれか一項に記載の発明において、前記吸熱器および放熱器を、両端に配管が突出するフィンチューブ型熱交換器とし、前記ダクト装置における開口部と対向する側壁に、前記突出した配管を収容する収容空間を設けたものである。
【００３２】
かかる構成により、ダクト装置内において、循環空気の突出した配管側への迂回を抑制することができ、吸熱器、放熱器による熱交換効率の向上がはかれ、乾燥効率の低下を抑制することができる。
【００３３】
以下、図面を参照しながら本発明の実施の形態について説明する。なお、この実施の形態により、本発明が限定されるものではない。
【００３４】
（実施の形態１）
図１は、本発明の実施の形態１における乾燥装置のヒートポンプ装置の組込み状態を示す点検パネルを外した状態の斜視図である。図２は、同実施の形態の乾燥装置におけるヒートポンプ装置の組込み前の状態を示す点検パネルを外した状態の斜視図である。図３は、同実施の形態の乾燥装置における図１のＡ−Ａ線による縦断面図である。図４は、同実施の形態の乾燥装置における図１のＢ−Ｂ線による横断面でダクト装置の一部を切欠いた平面図である。図５は、同実施の形態の乾燥装置におけるヒートポンプ装置のダクト装置への組込み状態を示す要部を拡大した一部切欠き平面図である。図６は、同実施の形態の乾燥装置におけるヒートポンプ装置の正面図である。図７は、同実施の形態の乾燥装置におけるヒートポンプ装置の平面図である。図８は、同実施の形態の乾燥装置におけるヒートポンプ装置の側面図である。
【００３５】
図１乃至図３において、乾燥装置本体（以下、本体と称す）１は、正面に設けた被乾燥
物取出し口（図示せず）を開閉する扉２と、内部空間を乾燥空間３と風路空間４に仕切る仕切りケース５と、底面を形成する基台６と、一側面に設けたメンテナンス用の開口７と、この開口７を閉塞する閉塞板７ａを具備している。
【００３６】
仕切りケース５は、円筒型に形成され、一面には前記被乾燥物取出し口と対向して開口部（図示せず）が設けられており、内部には、円筒型の乾燥容器８が配置されている。
【００３７】
乾燥容器８は、一面に前記被乾燥物取出し口と対向して開口部９が設けられており、また開口部９と対向する周壁には、多数の小孔（図示せず）が設けられている。この乾燥容器８は、モータ１０によって回転する構成となっている。
【００３８】
したがって、仕切りケース５と乾燥容器８の間には、所定の空間が形成され、また、乾燥容器８の軸方向における前後には、乾燥容器８の円筒壁面と仕切りケース５の円筒壁面に設けられた突起によってラビリンスシール１１、１２が形成されている。このラビリンスシール１１、１２は、軸方向の前後に必要とするものではなく、少なくとも開口部９側（図３中左側）のみに設ける構成としてもよい。その場合、乾燥容器８に設ける小孔は、円周側面に亘って設けることができる。
【００３９】
また、風路空間４には、ダクト装置１３が設けられている。このダクト装置１３には、その一端が、仕切りケース５の開口側（前面側）に設けた吸入口１４と連通し、他端が、仕切りケース５の後部側に設けた吹出し口１５に連通する如く、吸入ダクト１３ａと吹出しダクト１３ｂが設けられている。
【００４０】
さらに、ダクト装置１３には、送風機２５が組込まれており、この送風機２５によって乾燥容器８内の空気は、吸入口１４から吸入され、吹出し口１５から仕切りケース５内へ吹出され、乾燥容器８に設けた小孔を通過して再び乾燥容器８内へ吹出され、以下循環する構成となっている。
【００４１】
また、ダクト装置１３の一側面には、図２に示す如く開口部１６が設けられ、この開口部１６を有する側面と隣合う底面を形成する基台６には、所定幅の凹部１７がダクト装置１３の通風路１３ｃを横断するように設けられている。
【００４２】
ヒートポンプ装置１８は、開口部１６からダクト装置１３内に挿入されるもので、基台６に設けられた凹部１７に嵌まり込んでダクト装置１３内を流れる気流に対して直角方向に移動を可能とする基板１９と、この基板１９上に搭載された圧縮機２０、放熱器２１、キャピラリチューブ等の減圧装置２２、吸熱器２３を具備した構成となっている。
【００４３】
圧縮機２０、放熱器２１、減圧装置２２、吸熱器２３は、周知の冷凍サイクル（冷媒循環回路）を構成するもので、ヒートポンプ装置１８は、ダクト装置１３内への挿入状態において、放熱器２１と吸熱器２２がダクト装置１３の通風路１３ｃ内に配置され、圧縮機２０はダクト装置１３の外側に位置した配置となる。
【００４４】
さらに、放熱器２１と吸熱器２３は、風上側に吸熱器２３が、この吸熱器２３と所定間隔介して風下側に放熱器２１がそれぞれ位置する如く配置されている。
【００４５】
このように、ヒートポンプ装置１８は、放熱器２１と吸熱器２３がダクト装置１３内に配置される関係から、通風路１３ｃを流れる風が、吸熱器２３および放熱器２１を漏れが無いように通過するように配慮し、また、ダクト装置１３から通風路１３ｃを流れる風の漏れを抑制する構成を必要とする。
【００４６】
その構成として、吸熱器２３と放熱器２１は、図５乃至図７に示す如く、両端に端板２３ａ、２３ｂ、２１ａ、２１ｂを有するフィンプレート型の熱交換器が採用され、吸熱器２３の端板２３ａ、２３ｂと放熱器２１の端板２１ａ、２１ｂは、その一部を重合し、側面における吸熱器２３を通過した空気が漏れずに放熱器２１を通過するように構成している。
【００４７】
また、吸熱器２３と放熱器２１の天面には、両者の天面を覆う天面カバー２４が設けられ、吸熱器２３を通過した空気が天面側から漏れずに放熱器２１を通過するように構成している。
【００４８】
さらに、吸熱器２３、放熱器２１の端板２３ａ、２３ｂ、２１ａ、２１ｂには、ダクト装置１３の通風路１３ｃを流れる風と直交する方向に延出する延出片２３ｃ、２３ｄ、２１ｃ、２１ｄがそれぞれ設けられ、圧縮機２０側に位置する延出片２３ｃ、２１ｃは、ダクト装置１３の面に対しエル字状としている。
【００４９】
また、ダクト装置１３は、開口部１６と対向する側面に、後述する吸熱器２３、放熱器２１の湾曲配管部２３ｆ、２１ｆを収納するために、外側へ突出する突出部１３ｄが設けられ、開口部１６の周縁には、延出片２３ｃ、２１ｃのエル字状に合わせて通風路１３ｃの外側に凹形状片１３ｅが設けられている。
【００５０】
なお、必要に応じて、開口部１６の天辺での空気漏れを抑制する構成として、図６の破線で示す如く、吸熱器２３、放熱器２１の各端板の天辺に、ダクト装置１３の側面に当接する延出片２３ｅ（２１ｅ）を設けた構成を採用することもできる。
【００５１】
本実施の形態１においては、開口部１６の天辺部の気密性は、適宜設けたシール部材（図示せず）にて空気漏れを抑制する構成としている。
【００５２】
次に、上記構成からなるヒートポンプ装置１８の本体１への装着および取出しについて説明する。
【００５３】
ヒートポンプ装置１８を本体１へ装着する場合は、閉塞板７ａが外されたメンテナンス用の開口７より並設された吸熱器２３と放熱器２１側が先端となる状態で、ダクト装置１３に設けられた開口部１６より挿入する。
【００５４】
その場合、ヒートポンプ装置１８の基板１９を、基台６に設けた凹溝部１７内に載置し、その状態で基板１９を、吸熱器２３、放熱器２１の端板２３の延出片２３ｃ、２１ｃがダクト装置１３の開口部１６の凹形状片１３ｅに当接するまで押し込むことにより、ヒートポンプ装置１８の装着を行うことができる。このとき、必要に応じてヒートポンプ装置１８が抜け出さないように適宜手段にて固定することが好ましい。
【００５５】
そして、閉塞板７ａにより、開口７を閉塞することにより、ヒートポンプ装置１８の本体１への装着が完了する。本実施の形態１においては、この閉塞板７ａの取付けにより、閉塞板７ａが前述のヒートポンプ装置１８の抜け止めを行う手段としている。
【００５６】
したがって、ヒートポンプ装置１８は、基板１９が凹溝部１７によって挿入方向が規制され、正規の位置に案内されるため、位置ずれを生じることなく装着される。
【００５７】
さらに、ダクト装置１３の通風路１３ｃ内において、吸熱器２３と放熱器２１側は、その突出した配管部である湾曲配管部２３ｆ、２１ｆが、図５に示す如くダクト装置１３の側面に形成された突出部１３ｄ内に嵌まり込んでいるため、通風路１３ｃを流れる風は、
端板２３ｂ、２１ｂの内側を流れるように流れが規制される。
【００５８】
一方、圧縮機２０側においては、ダクト装置１３の開口部１６に設けた凹形状片１３ｅと、吸熱器２３、放熱器２１の端板２３ａ、２１ａに設けた延出片２３ｃ、２１ｃの当接により、シール性が確保され、しかも凹形状片１３ｅと延出片２３ｃ、２１ｃの凹凸部の当接によって開口部１６と基板１９における中心の位置合わせが行えるため、この当接部からの風の漏れ抑制を一層確実なものとすることができる。
【００５９】
上記の如く、ヒートポンプ装置１８を装着した状態で、乾燥装置の運転を開始すると、モータ１０の回転により乾燥容器８が回転し、乾燥容器８内にある衣類等の被乾燥物（図示せず）が攪拌される。
【００６０】
また、同時に送風機２５が回転し、乾燥容器８内の高湿空気を吸込口１４から吸込み、ダクト装置１３の通風路１３ｃへ導く。
【００６１】
通風路１３ｃには、ヒートポンプ装置１８の吸熱器２３と放熱器２１が配置されているため、通風路１３ｃを通過する高湿空気は、まず吸熱器２３によってその水分を吸熱器２３に結露させ、次に放熱器２１を通過する際に昇温され、湿度が下がった状態となって送風機２５を通過し、吹出し口１５から仕切りケース５によって仕切られた乾燥空間３へ吹出される。
【００６２】
そして、吹出された乾燥空間３内の空気は、乾燥容器８の壁面に設けられた小孔から乾燥容器８内へ流入し、以下、図３の矢印で示す如く循環を繰り返し、乾燥容器８内で攪拌されている被乾燥物の乾燥を行う。
【００６３】
ヒートポンプ装置１３の通風路１３ｃを流れる気流において、吸熱器２３を通過しようとする風は、吸熱器２３と放熱器２１の端板２３ｂ、２１ｂに設けた延出片２３ｄ、２１ｄのダクト装置１３に設けた突出部１３ｄへの嵌まり込み構造、および吸熱器２３と放熱器２１の端板２３ａ、２１ａに設けた延出片２３ｃ、２１ｃと凹形状片１３ｅの当接構造によって端板２３ａ、２１ａ、２３ｂ、２１ｂを迂回して通過することが抑制され、また吸熱器２３と放熱器２１の天面については、天面カバー２４が設けられているため、吸熱器２３を通過した気流は、放熱器２１へ流れるように導かれる。
【００６４】
したがって、吸熱器２３を通過した気流と迂回した気流の混合によるダクト装置１３への結露が抑制でき、また効率よく乾燥気流を生成でき、その乾燥気流を乾燥空間３内へ供給することができる。
【００６５】
次に、ヒートポンプ装置１８を取出す場合は、装着時と逆の作業を行えばよい。すなわち、閉塞板７ａを取外し、露出している部分をもって基板１９を引出すことにより、ヒートポンプ装置１８の取出しを終了する。
【００６６】
そして、ヒートポンプ装置１８のメンテナンス、部品交換等の必要な作業を行い、前述の装着作業を行うことにより、乾燥装置の使用が可能となる。
【００６７】
上述の如く、本実施の形態１における乾燥装置は、ヒートポンプ装置１８をユニット化し、そのヒートポンプ装置１８をダクト装置１３の側面を形成するように組込む形態としているため、ヒートポンプ装置１８と本体１をそれぞれ独立して組立てることができ、組立て作業性がよいものとなり、さらに、ヒートポンプ装置１８のメンテナンス等において本体１、あるいはダクト装置１３を分解することなくヒートポンプ装置１８のみを取り外すことができ、メンテナンス、部品交換等の作業性を向上することができるものである。
【００６８】
また、ヒートポンプ装置１８の組込み時は、閉塞部材である吸熱器２３、放熱器２１の端板２３ａ、２１ａがダクト装置１３の開口部１６を閉塞する構成であるため、ダクト装置１３からの循環空気の漏れが抑制でき、しかもヒートポンプ装置１８の組み込みと同時に開口部１６の閉塞が行えるため、組立て、およびメンテナンス等の作業性を極めて向上することができる。
【００６９】
さらに、ヒートポンプ装置１８の基板１９が嵌合し、ヒートポンプ装置１８を挿入方向へ案内する案内構成として、基台６に凹部１７を設けたことにより、ヒートポンプ装置１８の装着、取出し時は、凹部１７により、ヒートポンプ装置１８の移動方向を規制することができ、その結果、ヒートポンプ装置１８の挿入が正確かつ円滑に行え、さらに、吸熱器２３、放熱器２１の端板２３ａ、２１ａによる開口部１６の閉塞をより確実なものとすることができる。
【００７０】
また、吸熱器２３、放熱器２１の端板２３ａ、２１ａに、開口部１６の閉塞機能を付加しているため、吸熱器２３あるいは放熱器２１のフィンの変形保護、あるいは取付けの容易化等の機能を果たす端板機能を損なうこともなく、開口部１６の閉塞に部品数の削減と構成の簡素化をはかることができるものである。
【００７１】
特に、開口部１６の周縁に設けた、内側もしくは外側に傾斜する凹形状片１３ｅに、吸熱器２１、放熱器２３それぞれに設けた延出片２３ｃ、２１ｃを当接する構成であるため、ヒートポンプ装置１８のダクト装置１３への組込みにおいて、相互の傾斜面の当接によってヒートポンプ装置１８の位置合わせが強制され、開口部１６の閉塞をより確実なものとすることができる。
【００７２】
また、フィンチューブ型熱交換器である吸熱器２３および放熱器２１の突出した配管である湾曲配管部２３ｆ、２１ｆは、ダクト装置１３に設けた開口部１６と対向する側壁に設けた突出部１３ｄに収容する構成としているため、ダクト装置１３内において、通風路１３ｃ内を流れる気流の突出した配管側への迂回を抑制することができ、その結果、吸熱器２１を通過した低温の気流と迂回した気流の混合によるダクト装置１３への結露を抑制し、さらに、吸熱器２３、放熱器２１による熱交換効率の向上がはかれ、乾燥効率の低下を抑制することができる。
【産業上の利用可能性】
【００７３】
本発明の乾燥装置は、ヒートポンプ装置と本体を独立した構成とし、ヒートポンプ装置を本体のダクト装置へ挿入により装着する構成であるため、ダクト装置を介して乾燥空気を循環させる構成を具備した乾燥装置、あるいは家庭用の洗濯乾燥機等において利用できるものである。
【符号の説明】
【００７４】
１  乾燥装置本体
３  乾燥空間
４  風路空間
５  仕切りケース（仕切り部材）
６  基台
８  乾燥容器
１３  ダクト装置
１３ｃ  通風路
１３ｄ  突出部（収容空間）
１３ｅ  凹形状片
１４  吸入口（一方の開口）
１５  吹出し口（他方の開口）
１６  開口部
１７  凹部（案内構成）
１８  ヒートポンプ装置
１９  基板
２０  圧縮機
２１  放熱器
２１ａ  端板（閉塞部材）
２１ｂ  端板
２１ｃ  延出片（傾斜面）
２１ｄ  延出片
２１ｆ  湾曲配管部（突出した配管）
２２  減圧装置
２３  吸熱器
２３ａ  端板（閉塞部材）
２３ｂ  端板
２３ｃ  延出片（傾斜面）
２３ｄ  延出片
２３ｆ  湾曲配管部（突出した配管）
２５  送風機（送付装置）
【図１】
2011167425.tif 000003
【図２】
2011167425.tif 000004
【図３】
2011167425.tif 000005
【図４】
2011167425.tif 000006
【図５】
2011167425.tif 000007
【図６】
2011167425.tif 000008
【図７】
2011167425.tif 000009
【図８】
2011167425.tif 000010
【図９】
2011167425.tif 000011